(57)【要約】      （修正有）【課題】ネットワーク上に接続された他の録画装置が記録する番組を示す電子番組表を、短い時間で表示させる録画装置を提供する。【解決手段】チューナー部１１を通して取得される複数日分の番組情報をメモリに記録しておくイベント情報記録手段３０１と、他の録画装置４０で設定されている常時録画の録画条件を、通信部１６を通じて取得する録画条件取得手段３０２と、取得された録画条件と、記録された番組情報とをもとに、他の録画装置が録画する番組を示す電子番組表を作成するタイトルリスト作成手段３０３と、作成された電子番組表を表示させるリスト表示手段３０４と、を有する。【選択図】図３
2015226126.tif 000002
【特許請求の範囲】
【請求項１】
録画条件に該当する複数の番組を常時録画する録画機能を備える他の録画装置と通信部を通じて通信する録画装置であって、
チューナー部と、
前記チューナー部を通して取得される複数日分の番組情報をメモリに記録しておくイベント情報記録手段と、
前記他の録画装置で設定されている前記常時録画の前記録画条件を、前記通信部を通じて取得する録画条件取得手段と、
取得された前記録画条件と、記録された前記番組情報とをもとに、前記他の録画装置が録画する番組を示す電子番組表を作成するタイトルリスト作成手段と、
作成された前記電子番組表を表示させるリスト表示手段と、を有することを特徴とする録画装置。
【請求項２】
前記タイトルリスト作成手段は、前記電子番組表を作成した後、前記他の録画装置が録画した番組の情報を前記他の録画装置から前記通信部を通じて受信すると、前記電子番組表の該当欄を更新する、ことを特徴とする請求項１に記載の録画装置。
【請求項３】
前記タイトルリスト作成手段は、前記他の録画装置に対して所定周期で前記録画された番組の情報を要求する、ことを特徴とする請求項２のいずれかに記載の録画装置。
【請求項４】
前記タイトルリスト作成手段は、前記電子番組表に表示された番組の再生が選択された場合に、前記電子番組表の更新を開始する、ことを特徴とする請求項３に記載の録画装置。
【請求項５】
前記タイトルリスト作成手段は、前記通信部が使用されており、前記他の録画装置から前記録画した番組の情報を受信できない場合に、前記他の録画装置からの前記録画した番組の情報の受信を優先させることをユーザに選択させるユーザインターフェースを表示する、ことを特徴とする請求項１から請求項４のいずれか一項に記載の録画装置。
【請求項６】
前記他の録画装置との通信が不可能である場合、前記電子番組表が更新されていないことを通知する通知手段を有することを特徴とする請求項１から請求項５のいずれか一項に記載の録画装置。
【請求項７】
前記リスト表示手段は、前記電子番組表の更新がされていない番組欄を、他の番組欄と異なる配色で表示する、ことを特徴とする請求項１から請求項６のいずれか一項に記載の録画装置。
【請求項８】
前記録画条件取得手段は、前記録画条件としてチャンネル番号と録画日時とを取得し、
前記リスト作成手段は、取得した前記チャンネル番号と前記録画日時とをもとに前記電子番組表を作成する、ことを特徴とする請求項１から請求項７のいずれか一項に記載の録画装置。
【発明の詳細な説明】
【技術分野】
【０００１】
本発明は、他の録画装置と通信することが可能な録画装置に関する。
【背景技術】
【０００２】
従来、録画装置とネットワークを介して接続し、録画装置が記録しているコンテンツのタイトルリストを自機で表示させることができる装置が開示されている（例えば、特許文献１参照）。装置がタイトルリストを表示するために、まず、録画装置からタイトルリストを構成するデータを、ネットワークを通じて受信する。次に、装置は、受信したタイトルリストを構成するデータをもとにタイトルリストを表示する。
【０００３】
さて、メモリ容量の増大等により、録画装置が録画できる番組の数も増加している。また、ユーザが設定した録画時間帯において、チューナー部が受信する複数の番組をメモリに連続して録画する録画機能も知られている。このような録画機能は、タイムシフト機能、ループ録画機能、全録等の呼び名で呼ばれている。
【先行技術文献】
【特許文献】
【０００４】
【特許文献１】特開２００９−１４１６００号公報
【発明の概要】
【発明が解決しようとする課題】
【０００５】
しかし、録画装置が多くの番組を録画している場合、電子番組表等のタイトルリストを構成するデータのサイズも録画する番組の数に応じて大きくなる。そのため、録画装置からタイトルリストを構成するデータの通信を受けると、ネットワークの帯域を占有してしまう。さらに、タイトルリストを構成するデータを受信した装置が、このデータをもとにタイトルリストを作成する場合、タイトルリストを作成して表示するまでに時間がかかってしまう。
【０００６】
本発明は、上記課題にかんがみてなされたもので、ネットワーク上に接続された他の録画装置が記録する番組を示す電子番組表を短い時間で表示させることを目的とする。
【課題を解決するための手段】
【０００７】
・適用例１
上記課題を解決するために、本発明の一態様では、録画条件に該当する複数の番組を常時録画する録画機能を備える他の録画装置と通信部を通じて通信する録画装置であって、チューナー部と、前記チューナー部を通して取得される複数日分の番組情報をメモリに記録しておくイベント情報記録手段と、前記他の録画装置で設定されている前記常時録画の前記録画条件を、前記通信部を通じて取得する録画条件取得手段と、取得された前記録画条件と、記録された前記番組情報とをもとに、前記他の録画装置が録画する番組を示す電子番組表を作成するタイトルリスト作成手段と、作成された前記電子番組表を表示させるリスト表示手段と、を有する。
【０００８】
上記のように構成された発明では、タイトルリスト作成手段は、イベント情報記録手段が取得した複数日分の番組情報と、録画条件取得手段が他の録画装置から取得した常時録画の録画条件とをもとに、他の録画装置が録画する番組を示す電子番組表を予測して作成する。また、リスト表示手段は、作成された電子番組表を表示させる。
そのため、他の録画装置からは、録画条件のみを通信させるため、通信量が多くならず、電子番組表を作成して表示するまでにかかる時間を短くすることができる。
【０００９】
・適用例２
本発明の一態様では、前記タイトルリスト作成手段は、前記電子番組表を作成した後、前記他の録画装置が録画した番組の情報を前記他の録画装置から前記通信部を通じて受信すると、前記電子番組表の該当欄を更新する。
上記のように構成された発明では、予測をもとに作成した電子番組表を他の録画装置からの情報をもとに更新することができるため、正確な電子番組表を表示させることができる。
【００１０】
・適用例３
本発明の一態様では、前記タイトルリスト作成手段は、前記他の録画装置に対して所定周期で前記録画された番組の情報を要求する。
上記のように構成された発明では、電子番組表の更新を所定周期で行うため、電子番組表の精度を高めることができる。
【００１１】
・適用例４
本発明の一態様では、前記タイトルリスト作成手段は、前記電子番組表に表示された番組の再生が選択された場合に、前記電子番組表の更新を開始する。
上記のように構成された発明では、番組の再生時において電子番組表を更新するため、他の録画装置との通信量を低くすることができる。
【００１２】
・適用例５
本発明の一態様では、前記タイトルリスト作成手段は、前記通信部が使用されており、前記他の録画装置から前記録画した番組の情報を受信できない場合に、前記他の録画装置からの前記録画した番組の情報の受信を優先させることをユーザに選択させるユーザインターフェースを表示する。
上記のように構成された発明では、電子番組表の更新が必要な場合に、ユーザの選択により電子番組表の更新を優先させることができる。
【００１３】
・適用例６
本発明の一態様では、前記他の録画装置との通信が不可能である場合、前記電子番組表が更新されていないことを通知する通知手段を有する。
上記のように構成された発明では、他の録画装置と通信が不可能である場合をユーザに通知することができる。
【００１４】
・適用例７
本発明の一態様では、前記リスト表示手段は、前記電子番組表の更新がされていない番組欄を、他の番組欄と異なる配色で表示する。
上記のように構成された発明では、更新が行われている番組欄と行われていない番組欄とをユーザに認識させることができる。
【００１５】
・適用例８
本発明の一態様では、前記録画条件取得手段は、前記録画条件としてチャンネル番号と録画日時とを取得し、前記リスト作成手段は、取得した前記チャンネル番号と前記録画日時とをもとに前記電子番組表を作成する。
上記のように構成された発明では、他の録画装置からは、常時録画の録画条件として、チャンネル番号と録画日時のみを受信するため、通信量を少なくすることができる。
【図面の簡単な説明】
【００１６】
【図１】データ移行システムを構成する録画装置の外観図。
【図２】録画装置のハードウェア構成を示すブロック構成図。
【図３】システムコントローラ３０の機能と、ハードウェアとの関係を説明する機能ブロック図。
【図４】一例としての電子番組表１００を示す図。
【図５】タイトルリストの作成方法を示す図。
【図６】ステップＳＡ４で実行される処理を示すフローチャート。
【図７】更新前と更新後の録画装置１０の変化を説明する図。
【図８】第２の実施形態において、電子番組表１００を用いた番組の再生を示すフローチャート。
【図９】第３の実施形態において実行される更新処理を示すフローチャート。
【図１０】第３の実施形態において、表示装置５０に表示される通知画面４００を示す図。
【図１１】第４の実施形態において、表示装置５０に表示される電子番組表１００を示す図。
【発明を実施するための形態】
【００１７】
以下、下記の順序に従って本発明の実施形態を説明する。
１．第１の実施形態：
（１）録画装置の構成
（２）タイトルリストの構成
（３）タイトルリストの作成方法
２．第２の実施形態：
３．第３の実施形態：
４．第４の実施形態：
５．その他の実施形態：
【００１８】
１．第１の実施形態：
（１）録画装置の構成
図１は、データ移行システムを構成する録画装置の外観図である。
図１では、録画装置１０と録画装置４０とはネットワークＮＥを介して接続されている。ネットワークＮＥは、ＨＤＭＩ（登録商標）（High-Definition Multimedia Interface）や、ＤＬＮＡ（Digital Living Network Alliance）等を用いることができる。ネットワークＮＥがＨＤＭＩに対応する場合、録画装置１０と録画装置４０とは、ＨＤＭＩのＣＥＣコマンドにより通信を行うことができる。また、ネットワークＮＥがＤＬＮＡに対応する場合、ＵＰＮＰーＡＶクラスに従って通信を行う。また、ネットワークＮＥには、表示装置５０が接続されている。図１では、録画装置４０が他の録画装置である。
【００１９】
図２は、録画装置のハードウェア構成を示すブロック構成図である。録画装置１０と録画装置４０とはその構成が同じであるため、録画装置１０を例に構成を説明する。録画装置１０は、チューナー部１１、エンコーダー部１２、録画再生制御部１３、フラッシュメモリ１４、デコーダー１５、通信Ｉ／Ｆ１６、記録用メモリ２０、システムコントローラ３０、リモコン受信部１７と、を備える。
【００２０】
チューナー部１１は、図示しないアンテナで受信されたテレビジョン放送から所望のチャンネルに対応するＴＳパケットを取得する。また、図２ではチューナー部１１は、複数のチューナー１１＿１〜１１＿Ｎを備えている。ここで、チューナー１１＿１は、通常録画に用いられる。また、チューナー１１＿２〜チューナー１１＿Ｎはループ録画（常時録画）に用いられる。
なお、図２では、通常録画に用いられるチューナーを１つとして記載しているが、これに限定されず、複数のチューナーを用いるものであってもよい。また、チューナーは地上デジタル放送や、衛生放送（ＢＳ）、ケーブル放送（ＣＳ）のそれぞれの放送波から所定のチャンネルに対応する情報を抽出することができる。
【００２１】
チューナー部１１が受信するＴＳパケットには、番組の映像や音声を格納するＰＳＩ（Program Specific Information）と、電子番組表の作成やＰＳＩを補完する情報を格納するＳＩ（Service Information）とを含んでいる。ＳＩには、番組に関する『event_id』、『番組タイトル』、『放送日時』、『チャンネル番号』、『放送開始時刻』、『番組長さ』といった情報を示すＳＤＴや、ＥＩＴを含んでいる。ここで、『event_id』は、ＴＳパケットに含まれる番組を固有に特定するための情報である。
【００２２】
チューナー部１１の出力側には、エンコーダー部１２が接続されている。エンコーダー部１２は、チューナー１１＿１〜１１＿Ｎから出力されるＴＳパケット化された放送信号を記録用メモリ２０のフォーマットに応じて変換する。以下、エンコーダーにより変換されたデータを単に番組データ、番組とも記載する。
【００２３】
録画再生制御部１３は、エンコーダー部１２によって出力された番組データの録画や再生を制御する。録画再生制御部１３は、ループ録画時における番組データの録画や、通常録画における番組データの録画を制御することができる。
【００２４】
録画再生制御部１３が行うループ録画では、チューナー１１＿２〜１１＿Ｎから出力される番組データにファイル管理用の情報を付与し、記録用メモリ２０のループ録画用の記録領域（ループ記録領域２０１とも記載する）に記録する。ループ記録領域２０１には、チャンネル毎に、記録先のセクタが割当てられている。また、あるチャンネルの番組データは、ループ記録領域２０１の該当するセクタの先頭アドレスから順に記録されていく。そして、番組データがループ記録領域２０１の該当チャンネル割当てられたセクタの終端まで記録されると、録画再生制御部１３は、セクタの先頭アドレスに戻り、記録を繰返す。このとき、最も録画日時が古い番組データ（先頭アドレスに記録されている番組データ）は、消去された後、新たな番組データが記録される。そのため、ループ記録領域２０１に記録される番組データデータは、永続的に記録されない。
【００２５】
また、録画再生制御部１３は、番組データを録画するごとに、管理テーブルをループ記録領域２０１またはＰＶＲ記録領域２０２の所定領域に記録する。この管理テーブルには、番組データのファイルに関連づけて、『event_id』、『番組タイトル』、『放送日時』、番組が放送されるチャンネルの『チャンネル番号』、『放送開始時刻』、『番組長さ』、番組の内容を示す『番組内容』等を含んでいる。以下では、これら情報を番組情報とも記載する。番組情報は、エンコーダー部１２により分離されたＳＩをもとに取得される。
【００２６】
録画再生制御部１３は、システムコントローラ３０から番組データの再生指示の入力を受けると、再生対象の番組データをループ記録領域２０１またはＰＶＲ記録領域２０２から読み出し、デコーダー１５に出力する。
【００２７】
デコーダー１５は、録画再生制御部１３から入力する番組データにＭＰＥＧデコード処理を施す。また、デコーダー１５は、通信Ｉ／Ｆ１６を通じて表示装置５０と接続されている。そのため、デコーダー１５によりデコードされた番組データは、通信Ｉ／Ｆ１６を通じて表示装置５０に出力される。
【００２８】
記録用メモリ２０は、録画再生制御部１３およびシステムコントローラ３０からアクセス可能に接続されている。記録用メモリ２０は、ＨＤＤ、フラッシュメモリ、ブルーレイディスク（ブルーレイは登録商標）またはＤＶＤ等の記録メディア、である。記録用メモリ２０には、上記したループ記録領域２０１、ＰＶＲ記録領域２０２を有している。
【００２９】
システムコントローラ３０は、録画装置１０の駆動を統合的に制御する。システムコントローラ３０は、リモコン受信部１７や図示しない操作パネルが接続されており、ユーザからの操作をこのリモコン受信部１７や操作パネルを通じて受付ける。
図３は、システムコントローラ３０の機能と、ハードウェアとの関係を説明する機能ブロック図である。システムコントローラ３０は、図示しないＣＰＵ、ＲＯＭ、ＲＡＭを備えて構成されており、ＣＰＵがＲＯＭに記録されたプログラムをＲＡＭに展開して実行することで、図３に示す、イベント情報取得手段３０１、録画条件取得手段３０２、タイトルリスト作成手段３０３、リスト表示手段３０４、再生要求手段３０５と、を機能的に有する。
【００３０】
イベント情報取得手段３０１は、ＴＳパケットに含まれるＳＩから番組情報を取得する。イベント情報取得手段３０１は、チューナー部１１を制御して、番組情報の取得を、複数日間分に渡り繰り返し、フラッシュメモリ１４に記録する。
【００３１】
録画条件取得手段３０２は、通信Ｉ／Ｆ１６を通じて、録画装置４０が保持するループ録画（常時録画）の録画条件を取得する。この第１の実施形態では、ループ録画の録画条件は、録画装置４０が番組を録画予約する際に設定する『チャンネル番号』と、『録画日時』である。
【００３２】
タイトルリスト作成手段３０３は、イベント情報取得手段３０１が取得した複数日分の番組情報と、録画条件取得手段３０２が取得した録画条件とをもとに、電子番組表１００を作成する。この電子番組表１００には、録画装置４０がループ録画で録画した番組を予測した番組が記録される。すなわち、タイトルリスト作成手段３０３は、番組情報と、録画装置４０から送信されたループ録画の録画条件とをもとに、録画装置４０がループ録画で録画した番組を予測し、この予測をもとに電子番組表１００を作成する。なお、電子番組表１００の具体的な構成については後述する。
【００３３】
リスト表示手段３０４は、タイトルリスト作成手段３０３により作成された電子番組表１００を表示装置５０に表示させる。この第１の実施形態では、電子番組表１００は、ユーザが再生する録画番組の選択を入力するためのユーザインターフェースとして機能する。すなわち、リスト表示手段３０４は、表示された電子番組表１００の番組欄をユーザがリモコン装置等で操作することで、再生対象となる番組を選択することができる。
【００３４】
再生要求手段３０５は、電子番組表１００で選択された番組の再生要求を通信Ｉ／Ｆ１６を通じて録画装置４０に要求する。この第１の実施形態では、再生要求手段３０５は、録画装置４０に対して、ユーザが選択した番組のストリーミングを要求する。
【００３５】
（２）タイトルリストの構成
次に、録画装置１０により作成される電子番組表１００の構成を説明する。以下では、電子番組表１００の内、更新が行われていないものを予測電子番組表とも記載する。
図４は、一例としての電子番組表１００を示す図である。図４に示す電子番組表１００では、チャンネル（縦軸）と録画日時（横軸）とで特定される番組欄（セル）により構成されている。この第１の実施形態では、番組欄には録画装置４０が録画する番組『番組タイトル』が表示されている。
【００３６】
電子番組表１００の番組欄の列１０１、１０２は更新が行われていない（更新前）番組欄の列であり、番組欄の列１０３、１０４は更新が行われている番組欄の列である。ここで、更新が行われていない番組欄は、録画装置１０の予測により作成された番組情報（図４では番組タイトル）が記録された欄である。一方、更新が行われた番組欄は、録画装置４０から録画番組の情報を受信して、受信した番組情報が記録されている欄である。また、更新が行われていない番組欄の列１０１、１０２は、他の欄の列（例えば、１０３、１０４）と比べて異なる色が配色されている。
【００３７】
（３）電子番組表の作成方法
次に、録画装置１０において実行される電子番組表の作成を説明する。図５は、電子番組表の作成方法を示す図である。なお、この電子番組表の作成処理に先立って、録画装置１０は、複数日分の番組情報を取得しているものとする。
【００３８】
ステップＳＡ１、ＳＢ１では、録画装置１０と録画装置４０との間でペアリングが行われる。このペアリングにより、録画装置１０と録画装置４０との間で、ネットワークＮＥ上で互いを特定するＩＰアドレスが認識される。
【００３９】
ステップＳＡ２では、システムコントローラ３０は、録画装置４０が記録するループ録画の録画条件を通信Ｉ／Ｆ１６を通じて要求する。ステップＳＢ２では、録画装置４０は、録画条件の要求を受信すると、ステップＳＢ３では、録画装置４０は、通信Ｉ／Ｆ１６を用いて、録画条件を録画装置１０に宛てて、ネットワークＮＥに送信する。例えば、録画装置４０から録画装置１０に宛てて、録画条件として、『チャンネル番号』、『録画日時』が送信される。
【００４０】
ステップＳＡ３では、システムコントローラ３０は、録画装置４０から録画条件を通信Ｉ／Ｆ１６を通じて受信する。
ステップＳＡ４では、システムコントローラ３０（タイトルリスト作成手段３０３）は、フラッシュメモリ１４に蓄積された複数日分の番組情報と、録画条件とをもとに電子番組表１００を作成する。
【００４１】
図６は、ステップＳＡ４で実行される処理を示すフローチャートである。
ステップＳＡ１１では、システムコントローラ３０は、ある日に放送された番組に該当する番組情報から、録画装置４０のループ録画における録画条件に該当する番組を検索する。例えば、蓄積された番組情報の中から、『チャンネル番号』、『録画日時』に該当する番組を検索する。
【００４２】
該当する番組がある場合（ステップＳＡ１２：ＹＥＳ）、ステップＳＡ１３では、システムコントローラ３０は、録画条件に該当した番組の番組情報を取得する。
【００４３】
ステップＳＡ１４では、システムコントローラ３０は、ステップＳＡ１３で取得した番組情報を、電子番組表１００の該当番組欄の情報として記録する。
【００４４】
一方、該当する番組がない場合（ステップＳＡ１２：ＮＯ）、システムコントローラ３０は、ステップＳ１５に進む。
【００４５】
全ての日時の番組情報で番組の検索が行なわれていなければ（ステップＳＡ１５：ＮＯ）、ステップＳＡ１６では、システムコントローラ３０は、番組情報が属する日時（放送日時）を変更する。そして、システムコントローラ３０は、ステップＳＡ１１〜ＳＡ１４までの処理を繰返す。
【００４６】
全ての日時の番組情報で番組の検索が行なわれれば（ステップＳＡ１５：ＹＥＳ）、システムコントローラ３０は、ステップＳＡ５に戻る。
【００４７】
図５に戻り、ユーザにより電子番組表１００の表示操作が入力されると（ステップＳＡ５：ＹＥＳ）、ステップＳＡ６では、システムコントローラ３０（リスト表示手段３０４）は、電子番組表１００を表示する。
【００４８】
ステップＳＡ７では、所定期間Ｔ１が経過すると（ステップＳＡ７：ＹＥＳ）、ステップＳＡ８では、システムコントローラ３０（タイトルリスト作成手段３０３）は、電子番組表１００の更新処理を行なう。電子番組表１００の更新処理では、システムコントローラ３０は、録画装置４０が録画する番組にかかる情報を録画装置４０に要求する。なお、説明は省略するが、システムコントローラ３０は、所定周期Ｔ１の経過ごとに、録画装置４０に電子番組表１００を更新するための情報を要求する。
【００４９】
ステップＳＢ４では、システムコントローラ３０は、録画番組の情報を送信する。この第１の実施形態では、録画装置４０は、現在録画している番組における番組情報を、録画装置１０に送信する。例えば、録画装置４０は、番組情報として、『event_id』、『番組タイトル』、『録画日時』、『チャンネル番号』、『録画開始時刻』、『番組長さ』、『番組内容』等を送信する。
【００５０】
図７は、更新前と更新後の録画装置１０の変化を説明する図である。図７（ａ）は、表示装置５０に表示された電子番組表（予測電子番組表）１００を示す図である。図７（ａ）に示す電子番組表１００では、『ＣＨ３』、『ＣＨ４』の列１０１、１０２には、システムコントローラ３０により予測された番組が記録されている。また、列１０１、１０２は、他の列（例えば、１０３、１０４）と比べて異なる色が付されている。
そのため、システムコントローラ３０は、録画装置４０から番組情報を受信すると、この情報をもとに、電子番組表１００を更新する。図７（ｂ）は、更新処理により更新された電子番組表１００を示す図である。図７（ｂ）では、番組欄の列１０１、１０２の情報が更新されたことで、他の列（例えば、１０３、１０４）と同じ色となっている。すなわち、電子番組表１００の列１０１、１０２においても、録画装置４０が録画している番組の情報が記録されたことになる。
【００５１】
以下、ユーザがこの録画番組表を表示させた状態で、番組欄の選択を行うと、システムコントローラ３０（再生要求手段３０５）は、通信Ｉ／Ｆ１６を通じて、録画装置４０に、番組のストリーミングを要求する。そして、録画装置４０から録画装置１０へ選択された録画番組のストリーミングが開始される。
【００５２】
以上説明したようにこの第１の実施形態では、録画装置１０は録画装置４０が録画する電子番組表１００を表示する際、録画装置４０からループ録画の録画条件のみを通信させる。即ち、録画装置４０が『チャンネル番号』、『録画日時』をループ録画の録画条件とすれば、録画装置４０は『チャンネル番号』、『録画日時』のみを録画装置１０に送信する。そして、録画装置１０は、録画装置４０から送信される録画条件から電子番組表１００を作成するため、通信量が多くならず、ループ録画の対象となる多くの番組を表示するための電子番組表１００を表示するまでにかかる時間を短くすることができる。
【００５３】
また、録画装置１０は、予測をもとに作成した電子番組表１００を録画装置４０からの情報をもとに更新することができるため、正確な電子番組表１００を表示させることができる。
そして、録画装置１０は、電子番組表１００の更新を所定周期で行うため、電子番組表１００の精度を高めることができる。
さらに、電子番組表１００の更新が行われている番組欄と行われていない番組欄とを異なる配色とすることで、更新されていない番組欄をユーザに認識させることができる。
【００５４】
２．第２の実施形態：
この第２の実施形態では、ユーザが電子番組表１００を用いて番組の再生を行う場合に、電子番組表１００を更新する構成が第１の実施形態と比べて異なる。
図８は、第２の実施形態において、電子番組表１００を用いた番組の再生を示すフローチャートである。図８は、図５のステップＳＡ８において実行される処理である。
【００５５】
ステップＳＡ２１では、システムコントローラ３０は、ユーザからの電子番組表１００上の番組欄の選択を受付ける。
【００５６】
選択された番組欄が更新前であれば（ステップＳＡ２２：ＮＯ）、ステップＳ２３では、システムコントローラ３０は、通信Ｉ／Ｆ１６を通じて、録画装置４０に宛てて、選択された番組欄に該当する録画番組の番組情報を要求する。
例えば、システムコントローラ３０は、選択された番組欄の『チャンネル番号』、『放送開始日時』、『event_id』をもとに、録画装置４０に録画番組の情報を要求する。
【００５７】
ステップＳＡ２４では、システムコントローラ３０は、録画装置４０から送信された録画番組の情報を受信する。例えば、録画装置４０が、ユーザの選択した番組欄の時間帯において番組を録画していない場合、録画装置４０からは番組を録画していない旨の返信がなされる。
【００５８】
ステップＳＡ２５では、システムコントローラ３０は、ステップＳＡ２４で受信した録画番組の情報をもとに、電子番組表１００の該当欄を更新する。
【００５９】
更新前の番組欄と更新後の番組欄とで番組情報が一致すれば（ステップＳ２６：ＹＥＳ）、ステップＳ２７では、システムコントローラ３０は、録画装置４０に宛てて、通信Ｉ／Ｆ１６を用いて、更新後の番組欄で選択されている番組の再生要求をネットワークＮＥに送信する。例えば、更新前の番組欄と更新後の番組欄との番組情報一致の判断は、『event_id』等を比較することで行う。
【００６０】
一方、更新前の番組欄と更新後の番組欄と番組情報が一致しなければ（ステップＳ２６：ＮＯ）、ステップＳ２８では、システムコントローラ３０は、ユーザが選択した番組欄の情報が実際のものとは異なることを通知する。例えば、放送される番組の内容が変更されて『 event_id』が異なる場合や、録画装置４０が該当する時間帯において番組を録画していなければ、更新前の番組欄と更新後の番組欄とが不一致となる。
【００６１】
以上説明したようにこの第２の実施形態では、第１の実施形態が奏する効果に加えて以下の効果を奏する。すなわち、番組の再生時においてのみ電子番組表を更新するため、録画装置４０との通信量を低くすることができる。
【００６２】
３．第３の実施形態：
この第３の実施形態では、電子番組表を更新する際、録画装置１０が録画装置４０と通信できない場合にユーザに通知を行う処理が他の実施形態と比べて異なる。
図９は、第３の実施形態において実行される更新処理を示すフローチャートである。図９に示す処理は、図４のステップＳＡ８において実行される処理である。
【００６３】
ステップＳＡ３１では、システムコントローラ３０は、ユーザからの電子番組表１００上の番組欄の選択を受付ける。
選択された番組欄が更新前であれば（ステップＳＡ３２：ＮＯ）、システムコントローラ３０はステップＳ３３に進む。
録画装置１０が通信Ｉ／Ｆ１６を他の処理で占有しており、録画装置４０との間で通信ができない場合（ステップＳＡ３３：ＹＥＳ）、ステップＳＡ３４では、システムコントローラ３０（通知手段）は、表示装置５０に通知画面を表示させる。
【００６４】
図１０は、第３の実施形態において、表示装置５０に表示される通知画面（ユーザインターフェース）４００を示す図である。図１０に示す通知画面４００は、電子番組表１００にオーバーレイするよう表示される。この通知画面４００には、通信ができないことを示す文字列４０１と、更新処理を強制的に実行するか否かをユーザに選択させる『はい』、『いいえ』の選択アイコン４０２、４０３が表示されている。
【００６５】
ユーザが通知画面４００において、更新処理を強制的に行う操作入力（図１０では、『はい』のアイコン４０２を選択した場合）を行うと（ステップＳＡ３５：ＹＥＳ）、ステップＳＡ３６では、システムコントローラ３０は、通信Ｉ／Ｆ１６を用いて現在行われている処理を中断する。一方、ユーザが通知画面４００において、更新処理を強制的に行わない操作入力（図１０では、『いいえ』のアイコン４０３を選択した場合）を行うと（ステップＳＡ３５：ＮＯ）、システムコントローラ３０は、処理を終了する。
【００６６】
ステップＳＡ３７では、システムコントローラ３０は、通信Ｉ／Ｆ１６を通じて、録画装置４０宛てに、選択された番組欄に該当する録画番組の番組情報を要求する。ステップＳＡ３８では、システムコントローラ３０は、録画装置４０から送信された録画番組の情報を受信する。ステップＳＡ３９では、システムコントローラ３０は、ステップＳＡ３８で受信した録画番組の情報をもとに、電子番組表１００の該当欄を更新する。ステップＳＡ４０では、システムコントローラ３０は、更新後の電子番組表１００を表示する。
【００６７】
更新前の番組欄と更新後の番組欄とが一致すれば（ステップＳＡ４０：ＹＥＳ）、ステップＳＡ４１では、システムコントローラ３０は、録画装置４０に宛てて、通信Ｉ／Ｆ１６を用いて、更新後の番組欄で選択されている番組の再生要求をネットワークＮＥに送信する。
一方、更新前の番組欄と更新後の番組欄とが一致しなければ（ステップＳＡ４０：ＮＯ）、ステップＳＡ４２では、システムコントローラ３０は、ユーザが選択した番組欄の情報が実際のものとは異なることを通知する。
【００６８】
以上説明したようにこの第３の実施形態では、第１の実施形態が奏する効果に加えて以下の効果を奏する。すなわち、電子番組表１００の更新が必要な場合に、ユーザの選択により電子番組表１００の更新を優先させることができる。
【００６９】
４．第４の実施形態：
電子番組表１００の更新を行う際に、録画装置４０がメンテナンス当の理由により、録画装置１０と通信できない場合、録画装置４０がメンテナンス中であることを表示させてもよい。
【００７０】
図１１は、第４の実施形態において、表示装置５０に表示される電子番組表１００を示す図である。図１１では、番組欄の下方に、録画装置４０と通信ができないことを示す文字列１１０が表示される。ここで、録画装置４０と通信ができない場合とは、録画装置４０の電源がオフしている場合や、メンテナンス時間等、録画装置１０からの通信に対して返信が行われない状態である。
【００７１】
以上説明したように、この第４の実施形態では、他の録画装置と通信が不可能である場合をユーザに通知することができる。
【００７２】
５．その他の実施形態：
録画番組を表示する構成として電子番組表を用いたことは一例に過ぎず、録画装置４０が録画する番組を表示するものであれば、タイトルリスト作成手段により作成されるものはどのようなものであってもよい。
また、他の録画装置４０の録画機能としてループ録画を例に説明を行ったのは一例に過ぎない。
【００７３】
録画装置４０と通信できない場合に、システムコントローラ３０が通知画面４００を表示して通知を行うことは一例に過ぎない。例えば、音声による通知を行うものであってもよい。
【００７４】
なお、本発明は上記実施例に限られるものでないことは言うまでもない。当業者であれば言うまでもないことであるが、
・上記実施例の中で開示した相互に置換可能な部材および構成等を適宜その組み合わせを変更して適用すること
・上記実施例の中で開示されていないが、公知技術であって上記実施例の中で開示した部材および構成等と相互に置換可能な部材および構成等を適宜置換し、またその組み合わせを変更して適用すること
・上記実施例の中で開示されていないが、公知技術等に基づいて当業者が上記実施例の中で開示した部材および構成等の代用として想定し得る部材および構成等と適宜置換し、またその組み合わせを変更して適用すること
は本発明の一実施例として開示されるものである。
【符号の説明】
【００７５】
１０…録画装置、１１…チューナー部、１２…エンコーダー部、１３…録画再生制御部、１４…フラッシュメモリ、１５…デコーダー、１６…通信Ｉ／Ｆ、１７…リモコン受信部、２０…記録用メモリ、３０…システムコントローラ、４０…録画装置、５０…表示装置、１００…電子番組表、２０１…ループ記録領域、２０２…ＰＶＲ記録領域、３０１…イベント情報取得手段、３０２…録画条件取得手段、３０３…タイトルリスト作成手段、３０４…リスト表示手段、３０５…再生要求手段
【図１】
2015226126.tif 000003
【図２】
2015226126.tif 000004
【図３】
2015226126.tif 000005
【図４】
2015226126.tif 000006
【図５】
2015226126.tif 000007
【図６】
2015226126.tif 000008
【図７】
2015226126.tif 000009
【図８】
2015226126.tif 000010
【図９】
2015226126.tif 000011
【図１０】
2015226126.tif 000012
【図１１】
2015226126.tif 000013